(57)【要約】【課題】ろ過槽の機能回復のために行う洗浄運転における、洗浄剤による浴槽の損傷の回避。【解決手段】追い焚き循環回路内にバイパス流路１２を設けることで浴槽をバイパスした浄化回路を設け、ろ過槽９の洗浄運転中、浴槽を介さずに器具内で洗浄剤を循環させる。【選択図】  図１
2004177035.tif 000002
【特許請求の範囲】
【請求項１】
浴槽に接続される追い焚き往き管と追い焚き戻り管と、浴槽湯水の循環駆動を行う循環ポンプと、循環湯水を加熱する熱交換器とからなる追い焚き循環回路と、前記追い焚き循環回路に設けられ追い焚き往き管と追い焚き戻り管を連通し浴槽をバイパスした浄化回路と、前記浄化回路をバイパスするバイパス循環流路と、前記浄化回路にアルミニウム陽極と耐食性金属陰極とを対極に設けた電極と下部にろ過材で構成したろ過槽と、前記ろ過槽の上流側に浄化回路とバイパス循環回路を切り換える切換弁Ａと、前記ろ過槽の下流側に浄化回路とバイパス循環回路を切り換える切換弁Ｂと、前記切換弁Ｂの下流側の追い焚き往き管と前記ポンプの上流側の追い焚き戻り管を連結するバイパス流路と、前記追い焚き往き管と前記バイパス流路を切り換える切換弁Ｃと、前記追い焚き戻り管と前記バイパス流路を切り換える切換弁Ｄと、前記浄化回路の任意の箇所に洗浄剤投入装置とを備え、前記切換弁Ａと前記切換弁Ｂを前記浄化回路に切り替え前記切換弁Ｃと前記切換弁Ｄをバイパス流路側へ切り替えた後前記循環ポンプを任意の時間駆動し前記熱交換器により循環水を高温に保ちながら前記ろ過槽の洗浄運転を行う制御手段を設けた浄化機能付き風呂釜。
【請求項２】
浄化回路の任意の箇所に、洗浄運転で使用した洗浄剤を、器具外排出が可能な排出弁を備えた請求項１に記載の浄化機能付き風呂釜。
【請求項３】
浄化回路の任意の箇所に、洗浄運転で使用した洗浄剤を、器具外特定箇所への排出が可能な排出装置を有する請求項１に記載の浄化機能付き風呂釜。
【請求項４】
洗浄剤による洗浄運転後の排水動作後に、給湯回路からの注水、注湯動作により内部の洗浄剤を器具外に排出することのできる制御手段を備えた請求項１〜３のいずれか１項に記載の浄化機能付き風呂釜。
【請求項５】
洗浄運転中に、電極への印加電圧によって、洗浄の進捗を監視することのできる制御手段を備えた請求項１〜４のいずれか１項に記載の浄化機能付き風呂釜。
【請求項６】
洗浄運転によるろ過槽の洗浄の進捗等の情報を演算、記憶することのできる演算手段、記憶媒体を有し、外部への通信、表示することのできる機能を有した請求項５に記載の浄化機能付き風呂釜。
【発明の詳細な説明】
【０００１】
【発明の属する技術分野】
本発明は、浄化機能を有するふろ釜に関するものである。
【０００２】
【従来の技術】
従来の浄化機能付きふろ釜は図７に示すような構成になっていた。
【０００３】
浴槽１に接続される追い焚き往き管２と追い焚き戻り管３からなる追い焚き循環回路と、前記追い焚き循環回路に設けられ循環湯水を加熱する熱交換器４と浴槽湯水の循環駆動を行う循環ポンプ５と、追い焚き循環路から分離した浄化回路と、浄化回路に上部にアルミニウム陽極６と耐食性金属陰極７とを対極に設け下部にろ過材８を配設したろ過槽９とろ過槽９の上流側に浄化回路と循環回路を切り換える切換弁Ａ１０とろ過槽９の下流側に浄化回路と循環回路を切り換える切換弁Ｂ１１と切換弁Ａ１０と切換弁Ｂ１１を浄化回路に切換えた後、循環ポンプ５を一定時間駆動してろ過槽９の洗浄運転を行う制御手段を設けた浄化機能付き風呂釜である。
【０００４】
上記のろ過槽９の浄化メカニズムは、ろ過槽９の電極６、７に通電を行うことにより、陽極のアルミニウムを水酸化アルミニウムとして溶出させ、この水酸化アルミニウムにより、浴槽水の懸濁物質を凝集ろ過し、浴槽水を浄化するものである。
【０００５】
しかし、浄化の回数を重ねる毎に、ろ過槽９内には、水酸化アルミニウム由来のスケールが溜まってゆき、浄化機能が低下してしまう。そのため、ろ過槽の定期的な洗浄が必要である。
【０００６】
洗浄運転は、浴槽に任意量のお湯を張り、切換弁Ａ１０と切換弁Ｂ１１を浄化回路側へ切り替え、浴槽１内の湯に洗浄剤を投入し、循環ポンプ５を一定時間駆動し、洗浄剤を含む湯を浄化回路内に通すことにより、浄化回路中のろ過槽内のスケールを除去するものである（例えば、特許文献１参照）。
【０００７】
【特許文献１】
特開２０００−１８９９７５号公報（第１図）
【０００８】
【発明が解決しようとする課題】
凝集方式をとる浄化機能付き風呂釜においては、浄化機能を維持するために、洗浄剤によるろ過槽の定期的な洗浄運転が必要である。その洗浄剤の多くは、クエン酸等の酸を含むものが一般的であり、浴槽を介して洗浄剤の循環を長時間行う方法である。
【０００９】
しかし、家庭で使用されている浴槽には、ホーローや樹脂製品等、酸に弱い物質で構成されているものもあり、このような浴槽で上記洗浄運転を行うと、浴槽の表面等が洗浄剤により劣化してしまうという問題があった。
【００１０】
【課題を解決するための手段】
上記課題を解決するために、本発明の浄化機能付き風呂釜は、浴槽に接続される追い焚き往き管と追い焚き戻り管と、浴槽湯水の循環駆動を行う循環ポンプと、循環湯水を加熱する熱交換器とからなる追い焚き循環回路と、前記追い焚き循環回路に設けられ追い焚き往き管と追い焚き戻り管を連通し浴槽をバイパスした浄化回路と、前記浄化回路をバイパスするバイパス循環流路と、前記浄化回路にアルミニウム陽極と耐食性金属陰極とを対極に設けた電極と下部にろ過材で構成したろ過槽と、前記ろ過槽の上流側に浄化回路とバイパス循環回路を切り換える切換弁Ａと、前記ろ過槽の下流側に浄化回路とバイパス循環回路を切り換える切換弁Ｂと、前記切換弁Ｂの下流側の追い焚き往き管と前記ポンプの上流側の追い焚き戻り管を連結するバイパス流路と、前記追い焚き往き管と前記バイパス流路を切り換える切換弁Ｃと、前記追い焚き戻り管と前記バイパス流路を切り換える切換弁Ｄと、前記浄化回路の任意の箇所に洗浄剤投入装置とを備え、前記切換弁Ａと前記切換弁Ｂを前記浄化回路に切り替え前記切換弁Ｃと前記切換弁Ｄをバイパス流路側へ切り替えた後前記循環ポンプを任意の時間駆動し前記熱交換器により循環水を高温に保ちながら前記ろ過槽の洗浄運転を行う制御手段を設けたものであり、器具内にバイパス流路と切換弁を有したものであり、これによって、浴槽を介することなく器具内のバイパス流路を介して洗浄剤の循環を行い洗浄することが出来るので、洗浄剤の成分に耐性のない材質の浴槽に接続された器具においても、洗浄運転が可能となる。
【００１１】
【発明実施の形態】
請求項１に記載の発明は、浴槽に接続される追い焚き往き管と追い焚き戻り管と、浴槽湯水の循環駆動を行う循環ポンプと、循環湯水を加熱する熱交換器とからなる追い焚き循環回路と、前記追い焚き循環回路に設けられ追い焚き往き管と追い焚き戻り管を連通し浴槽をバイパスした浄化回路と、前記浄化回路をバイパスするバイパス循環流路と、前記浄化回路にアルミニウム陽極と耐食性金属陰極とを対極に設けた電極と下部にろ過材で構成したろ過槽と、前記ろ過槽の上流側に浄化回路とバイパス循環回路を切り換える切換弁Ａと、前記ろ過槽の下流側に浄化回路とバイパス循環回路を切り換える切換弁Ｂと、前記切換弁Ｂの下流側の追い焚き往き管と前記ポンプの上流側の追い焚き戻り管を連結するバイパス流路と、前記追い焚き往き管と前記バイパス流路を切り換える切換弁Ｃと、前記追い焚き戻り管と前記バイパス流路を切り換える切換弁Ｄと、前記浄化回路の任意の箇所に洗浄剤投入装置とを備え、前記切換弁Ａと前記切換弁Ｂを前記浄化回路に切り替え前記切換弁Ｃと前記切換弁Ｄをバイパス流路側へ切り替えた後前記循環ポンプを任意の時間駆動し前記熱交換器により循環水を高温に保ちながら前記ろ過槽の洗浄運転を行う制御手段を設けたものであり、切換弁Ａ，Ｂを浄化回路側へ切り換え、切換弁Ｃ，Ｄをバイパス流路側へ切り替え、洗浄剤投入装置により洗浄剤を浄化回路内へ投入し、ポンプ循環により洗浄剤を浄化回路内で循環させる事ができる浄化機能付き風呂釜である。浴槽を介することなくろ過槽の洗浄運転を行うため、浴槽に損傷を与えることなく洗浄運転を行うことができる。
【００１２】
請求項２に記載の発明は、請求項１に加え、浄化回路の任意の箇所に、洗浄運転で使用した洗浄剤を、器具外排出が可能な排出弁を備えたものであり、切換弁Ａ，Ｂを浄化回路側へ切り換え、切換弁Ｃ，Ｄをバイパス流路側へ切り替え、洗浄剤投入装置により洗浄剤を浄化回路内へ投入し、ポンプ循環により洗浄剤を浄化回路内で循環させる事ができ、排出弁により洗浄後器具外に洗浄剤を排出できる浄化機能付き風呂釜である。洗浄運転終了後、浴槽ではなく、器具の外に洗浄剤を排出することができるため、浴槽が洗浄剤により損傷を受けることなく洗浄運転が行える。
【００１３】
請求項３に記載の発明は、請求項１に加え、浄化回路の任意の箇所に、洗浄運転で使用した洗浄剤を、器具外特定箇所への排出が可能な排出装置を有するものであり、切換弁Ａ，Ｂを浄化回路側へ切り換え、切換弁Ｃ，Ｄをバイパス流路側へ切り替え、洗浄剤投入装置により洗浄剤を浄化回路内へ投入し、ポンプ循環により洗浄剤を浄化回路内で循環させる事ができ、器具外特定箇所への排出が可能な排出装置により洗浄後器具外に洗浄剤を排出できる浄化機能付き風呂釜である。ポンプ循環により洗浄剤を浄化回路内で循環させる事ができ、排水溝等特定箇所への洗浄剤の排出が可能であるので、いかなる器具の設置条件においても、安全に排水することができ、浴槽が洗浄剤により損傷を受けることなく洗浄運転を行うことができる。
【００１４】
請求項４に記載の発明は、請求項１〜３に加え、洗浄剤による洗浄運転後の排水動作後に、給湯回路からの注水、注湯動作により内部の洗浄剤を器具外に排出することのできる制御手段を備えたもので、切換弁Ａ，Ｂを浄化回路側へ切り換え、切換弁Ｃ，Ｄをバイパス流路側へ切り替え、洗浄剤投入装置により洗浄剤を浄化回路内へ投入し、ポンプ循環により洗浄剤を浄化回路内で循環させる事ができ、洗浄後に洗浄液を排水した後、注湯回路を用い、器具内に残った洗浄剤をきれいに洗い流すことのできる浄化機能付き風呂釜である。耐酸性に劣る（酸に弱い）浴槽においても、浴槽を介さずに洗浄剤の循環を行うことができるため、浄化装置の洗浄運転を行うことが可能となる。また、注水、注湯により、浄化回路内の洗浄剤を完全に洗い流すことができる。
【００１５】
請求項５に記載の発明は、請求項１〜４に加え、洗浄運転中に、電極への印加電圧によって、洗浄の進捗を監視することのできる制御手段を備えたもので、洗浄運転中にアルミニウム電極に流れる電流を測定し、洗浄運転の終了判定を行うものである。所定時間ではなく、電極表面のスケールが洗浄されたかどうかで洗浄運転を終了するので、洗浄運転を余計に行うことも、また、未洗浄の状態で終了することも少なくなる。
【００１６】
請求項６に記載の発明は、請求項５に加え、洗浄運転によるろ過槽の洗浄の進捗等の情報を演算、記憶することのできる演算手段、記憶媒体を有し、外部への通信、表示することのできる機能を有したものであり、上記電流の変化等により、洗浄運転に要する時間を演算し、リモコン等外部媒体へ通信し、表示することのできる浄化機能付き風呂釜である。器具使用者が洗浄時間の把握を行うことができるため、器具使用者の時間の有効活用に繋がる。
【００１７】
【実施例】
以下に本発明の実施例について図を用いて説明する。
【００１８】
（実施例１）
図１は、実施例１の、浄化機能付き風呂釜の概略構成図である。
【００１９】
浴槽１に接続される追い焚き往き管２と追い焚き戻り管３からなる追い焚き循環回路と追い焚き循環回路に設けられ循環湯水を加熱する熱交換器４と浴槽湯水の循環駆動を行う循環ポンプ５と、追い焚き循環路に設けられ追い焚き往き管と追い焚き戻り管を連通し浴槽をバイパスした浄化回路と浄化回路の一部に上部にアルミニウム陽極６と耐食性金属陰極７とを対極に設け下部にろ過材８を配設したろ過槽９と前記ろ過槽９の上流側に浄化回路と循環回路を切り換える切換弁Ａ１０とろ過槽９の下流側に浄化回路と循環回路を切り換える切換弁Ｂ１１と切換弁Ｂの下流側の追い焚き往き管と循環ポンプ５の上流側の追い焚き戻り管を連結するバイパス流路１２と追い焚き往き管２とバイパス流路１２を切り換える切換弁Ｃ１３と追い焚き戻り管３とバイパス流路１２を切り換える切換弁Ｄ１４と浄化回路内の任意の場所に洗浄剤投入装置１５とを備えている。
【００２０】
浄化装置の洗浄運転を行う際、制御信号（未図示）により、ろ過槽９上流の切り換え弁Ａ１０をろ過槽９側に切り換え、ろ過槽９下流の切り換え弁Ｂ１１をろ過槽９側へ切り換える。さらに、往き側バイパス切り換え弁Ｃ１３を、バイパス流路１２側へ切り換え、戻り側バイパス弁Ｄ１４をバイパス流路１２側へ切り換える。
【００２１】
さらに、洗浄剤投入装置１５により洗浄剤を浄化回路内に投入した後、洗浄剤投入装置１５を投入不能の状態にし、この状態で循環ポンプ５を作動させ、熱交換器４により追いだき燃焼を行う。
【００２２】
洗浄剤は、循環ポンプ５、熱交換器４、ろ過槽上流切換弁Ａ１０、ろ過槽９、ろ過槽下流切換弁Ｂ１１、追い焚き往管２、バイパス切換弁Ｃ１３、バイパス流路１２、バイパス切換弁Ｄ１４、追い焚き戻り管３と循環し、ろ過槽９の洗浄を行う。
【００２３】
洗浄運転が終了した後、制御信号（未図示）によりバイパス切換弁Ｃ１３を追焚き循環回路側へ、バイパス切換弁Ｄ１４を追焚き循環回路側へ切り替え、浄化回路内の洗浄剤を排水する。
【００２４】
浴槽を介さずに洗浄剤の循環を行うことができ、また、排水した洗浄剤は、すぐに洗い流すことが可能なので、耐酸性に優れない浴槽においても、浄化装置の洗浄運転を行うことが可能となる。
【００２５】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００２６】
（実施例２）
図２は、実施例２の浄化機能付き風呂釜の概略構成図である。
【００２７】
実施例１と違う点は、浄化回路内に排水弁１６を備えていることである。
【００２８】
浄化装置の洗浄運転は実施例１と同様に行い、洗浄運転が終了した後、制御信号（未図示）により排水弁１６を開とし、浄化回路内の洗浄剤を器具外に排出する。
【００２９】
浴槽を介さずに洗浄剤の循環を行うことができ、また、耐酸性に優れない浴槽においても、浄化装置の洗浄運転を行うことが可能となる。
【００３０】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００３１】
（実施例３）
図３は、本発明実施例３の浄化機能付き風呂釜の概略構成図である。
【００３２】
実施例１と違う点は、浄化回路内の任意の場所に、器具外特定箇所への洗浄剤の排出が可能なホース等の接続機構を備えた排出装置１７を備えていることである。
【００３３】
浄化装置の洗浄運転は実施例１と同様に行い、洗浄運転が終了した後、制御信号（未図示）により、ホース等の接続された排水装置１７を排水可能な状態とし、側溝や排水溝等の器具外特定箇所への排水を行う。
【００３４】
浴槽を介さずに洗浄剤の循環を行うことができ、また、排水した洗浄剤は、器具外にある洗浄剤を流しても安全な場所へ排出することができるので、耐酸性に優れない浴槽においても、浄化装置の洗浄運転を行うことが可能となり、器具設置条件に関わらず、安全に排水することが可能である。
【００３５】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００３６】
（実施例４）
図４は、本発明実施例４の浄化機能付き風呂釜の概略構成図である。
【００３７】
実施例１と違う点は、風呂回路、浄化回路側への注水、注湯が可能な注湯弁１８を備えていることである。
【００３８】
浄化装置の洗浄運転は実施例１と同様に行い、洗浄運転が終了した後、制御信号（未図示）によりバイパス切換弁Ｃ１３を追焚き循環回路側へ、バイパス切換弁Ｄ１４を追焚き循環回路側へ切り替え、注湯弁１８を開とし、給湯回路から注水、注湯を行うことにより、浄化回路内の洗浄剤を排水する。
【００３９】
耐酸性に優れない浴槽においても、浴槽を介さずに洗浄剤の循環を行うことができるため、浄化装置の洗浄運転を行うことが可能となる。また、注水、注湯により、浄化回路内の洗浄剤を完全に洗い流すことができる。
【００４０】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００４１】
（実施例５）
図５は、実施例５の浄化機能付き風呂釜の概略構成図である。
【００４２】
実施例１と違う点は、洗浄中にアルミニウム陽極６に流れる電流を監視する手段１９を備えていることである。
【００４３】
浄化装置の洗浄運転は実施例１と同様に行い、ろ過槽９の洗浄中、電極表面が洗浄されたかどうかを確認するため、洗浄運転開始後所定時間経過した後、一定時間毎に電極を流れる電流を監視し、一定以上の電流が流れる場合は、洗浄運転を終了する。
【００４４】
洗浄運転が終了すると、制御信号（未図示）によりバイパス切換弁Ｃ１３を追焚き循環回路側へ、バイパス切換弁Ｄ１４を追焚き循環回路側へ切り替え、浄化回路内の洗浄剤を排水する。
【００４５】
浴槽を介さずに洗浄剤の循環を行うことができるため、耐酸性に優れない浴槽においても、浄化装置の洗浄運転を行うことが可能となる。また、所定時間ではなく、電極表面のスケールが洗浄されたかどうかで洗浄運転を終了するので、洗浄運転を余計に行うことも、また、未洗浄の状態で終了することも少なくなる。
【００４６】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００４７】
（実施例６）
図６は、実施例６の浄化機能付き風呂釜の概略構成図である。
【００４８】
実施例１と違う点は、洗浄運転中のろ過槽内の電極に流れる電流を監視する電流監視装置１９と、電流変化から洗浄運転に必要な時間を演算する演算装置２０と、時間を記憶することのできる不揮発性記憶媒体２１と、前記時間を外部媒体２２に通信、表示できる制御手段２３を備えていることである。
【００４９】
浄化装置の洗浄運転は実施例１と同様に行い、ろ過槽９の洗浄中、電極表面が洗浄されたかどうかを確認するため、洗浄運転開始後所定時間経過した後、一定時間毎に電極を流れる電流を監視する。一定以上の電流が流れる場合は、洗浄運転を終了する。さらに、電流の変化を不揮発性記憶媒体２１に随時記憶させる。
一定時間毎の電流値を随時記憶し演算することにより、一定以上の電流が流れるようになるまでに要する時間（洗浄運転予想時間）を演算する。この時間をリモコン等の外部媒体２２に通信、表示させ、実際に要した時間を不揮発性記憶媒体２１に記憶させる。
【００５０】
一般に、洗浄運転には長時間を要し、その間風呂釜を使用することはできなく、器具使用者にとってかなり煩わしいが、洗浄運転に要する時間を器具使用者が把握することができるため、時間の有効活用等が可能である。
【００５１】
加えて、本発明の主たる目的とは異なるが、洗浄運転中、器具内のみの循環を行い、従来に比べ、循環経路も大幅に短くなるため、洗浄剤の量も少なく、洗浄剤を高温に保つために使われる熱エネルギーも少なくてすみ、効果的にろ過槽の洗浄ができるというメリットもある。
【００５２】
【発明の効果】
以上のように、本発明によれば、洗浄運転の際、浴槽を介することなく循環を行うことができるため、洗浄剤に耐性のない材質の浴槽においても、洗浄運転が可能となる。
【００５３】
また、循環経路も大幅に短くなるため、洗浄剤の量も少なく、洗浄剤を高温に保つために使われる熱エネルギーも少なくてすみ、効果的にろ過槽の洗浄ができるというメリットもある。
【図面の簡単な説明】
【図１】本発明の実施例１における浄化機能付き風呂釜の概略構成図
【図２】本発明の実施例２における浄化機能付き風呂釜の概略構成図
【図３】本発明の実施例３における浄化機能付き風呂釜の概略構成図
【図４】本発明の実施例４における浄化機能付き風呂釜の概略構成図
【図５】本発明の実施例５における浄化機能付き風呂釜の概略構成図
【図６】本発明の実施例６における浄化機能付き風呂釜の概略構成図
【図７】従来の浄化機能付きふろ釜の概略構成図
【符号の説明】
１  浴槽
２  追いだき往き配管
３  追いだき戻り配管
４  熱交換器
５  循環ポンプ
６  アルミニウム陽極
７  耐食性金属陰極
８  ろ過材
９  ろ過槽
１０  切換弁Ａ
１１  切換弁Ｂ
１２  バイパス流路
１３  切換弁Ｃ
１４  切換弁Ｄ
１５  洗浄剤投入装置
１６  排水弁
１７  排水装置
１８  注湯弁
２０  演算装置
２１  不揮発性記憶媒体
【図１】
2004177035.tif 000003
【図２】
2004177035.tif 000004
【図３】
2004177035.tif 000005
【図４】
2004177035.tif 000006
【図５】
2004177035.tif 000007
【図６】
2004177035.tif 000008
【図７】
2004177035.tif 000009